(57)【要約】【課題】  本発明は暗い所で時計を探して照明ランプを点灯させたり、室内の照明灯を点灯させたりすることなく、時計の発光色によって時間を知ることができる時計を得るにある。【解決手段】  暗い所で色を判別することができる少なくとも6色以上の発光色によって時間を知ることができる時間表示手段と、暗い所での発光によって分を知ることができる分表示手段とで時計を構成している。【選択図】  図２
2009139312.tif 000002
【特許請求の範囲】
【請求項１】
暗い所で色を判別することができる少なくとも6色以上の発光色によって時間を知ることができる時間表示手段と、暗い所での発光によって分を知ることができる分表示手段とを備えたことを特徴とする時計。
【請求項２】
時間表示手段は時間と分を表示することができると時計本体と、この時計本体の時間毎に少なくとも6色以上の色の異なる光を発光させる発光装置とで構成されていることを特徴とする請求項１記載の時計。
【請求項３】
分表示手段は時間と分を表示することができる時計本体と、この時計本体の分表示を４個の扇形状に光を発光させる発光装置とで構成されていることを特徴とする請求項１記載の時計。
【請求項４】
分表示手段は時間と分を表示することができる時計本体と、この時計本体の分表示を長針形状に光を発光させるとともに、０時の位置を発光させる発光装置とで構成されていることを特徴とする請求項１記載の時計。
【請求項５】
時間表示手段および分表示手段は周囲が暗くなると、自動的に暗い所でも判別できるように構成されていることを特徴とする請求項１ないし請求項３いずれかに記載の時計。
【発明の詳細な説明】
【技術分野】
【０００１】
本発明は時計に関する。
【背景技術】
【０００２】
従来、時計は置時計、掛け時計、腕時計、懐中時計、ビデオなど装置組み込み時計などが使用されている。最近では精度の高い電波時計や電池交換のいらない自動巻き時計や太陽電池時計などの時計の普及が進んだ。
さらに、その時刻表示方法にはアナログ文字盤方式からデジタル表示まで種々雑多である。時刻の告知に関しては、ボタンを押せば文字盤の照明ランプが点灯するものや、極端なものでは壁面に時刻を投影したり、音声でしゃべるものまである。
【０００３】
しかしながら、従来の時計は暗い所では時計の照明ランプや室内の照明灯を点灯させて明るくしなければ時間を知ることができないという欠点があった。
【特許文献１】特になし
【発明の開示】
【発明が解決しようとする課題】
【０００４】
本発明は以上のような従来の欠点に鑑み、暗い所で時計を探して照明ランプを点灯させたり、室内の照明灯を点灯させたりすることなく、時計の発光色によって時間を知ることができる時計を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は暗い所で色を判別することができる少なくとも6色以上の発光色によって時間を知ることができる時間表示手段と、暗い所での発光によって分を知ることができる分表示手段とで時計を構成している。
【発明の効果】
【０００７】
以上の説明から明らかなように、本発明にあっては次に列挙する効果が得られる。
【０００８】
（１）暗い所で色を判別することができる少なくとも6色以上の発光色によって時間を知ることができる時間表示手段と、暗い所での発光によって分を知ることができる分表示手段とで構成されているので、暗い所でも時間表示手段の発光色によって、時間を知ることができる。
したがって、従来のように暗い所で時計を探したり、室内を照明灯で明るくしなければならない等の不具合を解消することができる。
【０００９】
（２）前記（１）によって、暗い所でも分表示手段の発光する形状で、おおよそ何分であるかを知ることができる。
【００１０】
（３）前記（１）によって、暗い所で発光する発光色によって、時間とおおよその分を知ることができるので、数字が読めなくても時刻を知ることができる。
【００１１】
（４）前記（１）によって、発光する光の色や形状によって、時間とおおよその分を知ることができるので、楽しく使用することができる。
【発明を実施するための最良の形態】
【００１２】
以下、図面に示す本発明を実施するための最良の形態により、本発明を詳細に説明する。
【００１３】
図１ないし図６に示す本発明を実施するための最良の第１の形態において、１は本発明の時計で、この時計１はケース体２に取付けられた文字盤３、短針４、長針５を備えた時計本体６と、暗い所で色を判別することができる少なくとも６色以上の発光色によって時間を知ることができる時間表示手段７と、暗い所での発光によって分を知ることができる分表示手段８とで構成されている。
【００１４】
前記時計本体６は置時計として使用されるもので、文字盤３には１〜１２時の文字９が記載され、短針４、長針５はクオーツ１０によって、時、分を表示できるように回転するものである。
【００１５】
前記時間表示手段７は前記時計本体６のクオーツ１０からの時間信号により、１時間毎に発光色を変化させることができる発光色制御回路１１および、周囲が所定に暗さになるとＯＮ状態となる暗さ検出センサ１２を介して、例えば６時は茶色発光、７時は赤色発光、８時は橙色発光、９時は黄色発光、１０時は緑色発光、１１時は青色発光、１２時は紫色発光、１時は灰色発光、２時は白色発光、３時は金色発光、４時は銀色発光、５時は桃色発光に１時間づつ発光される、前記文字盤３の上部端部に設けられたＲＧＢ−ＬＥＤ等を用いた.発光体１３とで構成されている。
【００１６】
前記分表示手段８は前記時計本体６のクオーツ１０からの分信号により、１５分毎に扇形状表示を変化させることができる扇形状表示制御回路１４および、前記暗さ検出センサ１２を介して前記文字盤３の上部端部に設けられた発光扇形状表示体１５、１５ａ、１５ｂ、１５ｃとで構成されている。
【００１７】
上記構成の時計1は、明るい時には時計本体６の短針4と長針５とによって、従来の時計と同様に時間を知ることができる。
周囲が所定以上に暗くなると暗さ検出センサ１２がＯＮ状態となり、時計本体6のクオーツ１０からの時間信号により、発光色制御回路１１によって、発光体１３をあらかじめ設定された発光色に発光させて、その発光した色によって何時であるかを知ることができる。
また、時計本体６のクオーツ１０からの分信号により、扇形状表示制御回路１４によって、発光扇形状表示体１５、１５ａ、１５ｂ、１５ｃのうち、その分に応じた発光扇形状表示体１５、１５ａ、１５ｂ、１５ｃだけが発光表示される。
よって、時計本体6の文字盤３、短針４、長針５が暗くて見えなくても、発光体１３の発光色および発光扇形状表示体１５、１５ａ、１５ｂ、１５ｃの発光表示によって、何時であるかと、おおよそ１５分、３０分、４５分、０分であるかを知ることができる。
[発明を実施するための異なる形態]
【００１８】
次に、図７ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図７ないし図９に示す本発明を実施するための第２の形態において、前記本発明を実施するための最良の第１の形態と主に異なる点は、文字盤３の１２時の上部に発光体１３を配置した時間表示手段７Ａと、文字盤３の時間表示記号の外周部に１２個の５分毎に発光する色の異なる発光体１６、１６ａ、１６ｂ、１６ｃ、１６ｄ、１６ｅ、１６ｆ、１６ｇ、１６ｈ、１６ｉ、１６ｊ、１６ｋを用いた分表示手段８Ａを使用した点で、このような時間表示手段７Ａと分表示手段８Ａとを用いた時計１Ａにしても、前記本発明を実施するための最良の第１の形態と同様な作用効果が得られる。
【００２０】
図１０および図１１に示す本発明を実施するための第３の形態において、前記本発明を実施するための最良の第１の形態と主に異なる点は６色の発光色、例えば６時は茶色発光、７時は赤色発光、８時は橙色発光、９時は黄色発光、１０時は緑色発光、１１時は青色発光、１２時は茶色発光、１時は赤色発光、２時は橙色発光、３時は黄色発光、４時は緑色発光、５時は青色発光というように１時間づつ発光させる発光色制御回路１１Ａおよび発光体１３を用いた時間表示手段７Ｂを用いた点で、このような時間表示手段７Ｂを用いて構成した時計１Ｂにしても前記本発明を実施するための最良の第１の形態と同様な作用効果が得られる。
【００２１】
図１２ないし図１５に示す本発明を実施するための第４の形態において、前記本発明を実施するための第２の形態と主に異なる点は、長針５Ａの軸１７を筒状に形成し、長針５Ａの突出方向部位に細長いスリット１８を形成し、内部に発光体１６を用いた分表示手段８Ｂを用いた点で、このような分表示手段８Ｂを用いて構成した時計１Ｃにしても、前記本発明を実施するための第２の形態と同様な作用効果が得られるとともに、暗くなると長針５Ａの方向が発光体１６でほぼ三角形状に表示されて、だいたい何分であるかを確実に確認することができる。
【００２２】
図１６ないし図１８に示す本発明を実施するための第５の形態において、前記本発明を実施するための第２の形態と主に異なる点は、長針５Ｂを１時間毎に発光色が変わるようにした分表示手段を備えた時間表示手段７Ｃを用いた点で、このような時間表示手段７Ｃを用いて構成した時計１Ｄにしても、前記本発明を実施するための第２の形態と同様な作用効果が得られる。
なお、１９は１２時の位置を暗さ検出センサ１２を介して表示する表示灯である。
【００２３】
図１９ないし図２１に示す本発明を実施するための第６の形態において、前記本発明を実施するための最良の第１の形態と主に異なる点は、デジタルの時表示部２０と分表示部２１を備える時計本体６Ａを用いた点で、このような時計本体６Ａを用いて構成した時計１Ｅにしても、前記本発明を実施するための最良の第１の形態と同様な作用効果が得られる。
【００２４】
なお、前記本発明を実施するための各形態では置時計について説明したが、本発明はこれに限らず、腕時計や掛け時計等、どんな時計にでも使用することができる。
【産業上の利用可能性】
【００２５】
本発明は時計を製造する産業で利用される。
【図面の簡単な説明】
【００２６】
【図１】本発明を実施するための最良の第１の形態の正面図。
【図２】本発明を実施するための最良の第１の形態の背面図。
【図３】本発明を実施するための最良の第１の形態の概略ブロック図。
【図４】本発明を実施するための最良の第１の形態の時間表示手段の説明図。
【図５】本発明を実施するための最良の第１の形態の分表示手段の説明図。
【図６】本発明を実施するための最良の第１の形態の午後９時１５分前後の動作説明図。
【図７】本発明を実施するための第２の形態の正面図。
【図８】本発明を実施するための第２の形態の時間表示手段の説明図。
【図９】本発明を実施するための第２の形態の分表示手段の説明図。
【図１０】本発明を実施するための第３の形態の正面図。
【図１１】本発明を実施するための第３の形態の時間表示手段の説明図。
【図１２】本発明を実施するための第４の形態の正面図。
【図１３】図１２の１３−１３線に沿う断面図。
【図１４】本発明を実施するための第４の形態の長針の説明図。
【図１５】本発明を実施するための第４の形態の暗くなった時の動作説明図。
【図１６】本発明を実施するための第５の形態の正面図。
【図１７】本発明を実施するための第５の形態の概略ブロック図。
【図１８】本発明を実施するための第５の形態の時間表示手段の説明図。
【図１９】本発明を実施するための第６の形態の正面図。
【図２０】本発明を実施するための第６の形態の概略ブロック図。
【図２１】本発明を実施するための第６の形態の暗くなった時の動作説明図。
【符号の説明】
【００２７】
１、１Ａ、１Ｂ、１Ｃ、１Ｄ、１Ｅ：時計、
２：ケース体、                ３：文字盤、
４：短針、                    ５、５Ａ、５Ｂ：長針、    
６、６Ａ：時計本体、                    
７、７Ａ、７Ｂ、７Ｃ：時間表示手段、
８、８Ａ、８Ｂ：分表示手段、  ９：１〜１２時の文字、
１０：クオーツ、              １１、１１Ａ：発光色制御回路、
１２：暗さ検出センサ、        １３：発光体、
１４：扇形状表示制御回路、        
１５、１５ａ、１５ｂ、１５ｃ：発光扇形状表示体、
１６、１６ａ〜１６ｋ：発光体、１７：軸、
１８：スリット、              １９：表示灯、
２０：時表示部、              ２１：分表示部。                
【図１】
2009139312.tif 000003
【図２】
2009139312.tif 000004
【図３】
2009139312.tif 000005
【図４】
2009139312.tif 000006
【図５】
2009139312.tif 000007
【図６】
2009139312.tif 000008
【図７】
2009139312.tif 000009
【図８】
2009139312.tif 000010
【図９】
2009139312.tif 000011
【図１０】
2009139312.tif 000012
【図１１】
2009139312.tif 000013
【図１２】
2009139312.tif 000014
【図１３】
2009139312.tif 000015
【図１４】
2009139312.tif 000016
【図１５】
2009139312.tif 000017
【図１６】
2009139312.tif 000018
【図１７】
2009139312.tif 000019
【図１８】
2009139312.tif 000020
【図１９】
2009139312.tif 000021
【図２０】
2009139312.tif 000022
【図２１】
2009139312.tif 000023